(57)【要約】【課題】例えば、仕事や休息や仮眠などの行為に最適な使用形態を容易に実現する家具を提供する。【解決手段】使用者が横になる際に使用する寝台２と、この寝台２の前端部２Ａに脚を下ろして着座した状態で使用可能な作業台３と、この作業台３を使用する際に、使用者の脚を収容可能な脚収容空間Ｓとを具備する家具を構成する。【選択図】図１
2004275232.tif 000002
【特許請求の範囲】
【請求項１】
使用者が横になる際に使用する寝台と、この寝台の一端部に脚を下ろして着座した状態で使用可能な作業台と、この作業台を使用する際に、使用者の脚を収容可能な脚収容空間とを具備することを特徴とする家具。
【請求項２】
前記作業台の寝台側端部に、弾性を有するクッション部材を設けたことを特徴とする請求項１記載の家具。
【請求項３】
前記作業台が、作業面を形成するトレー部材と、このトレー部材を着脱可能に取り付ける作業台本体とを具備することを特徴とする請求項１又は２記載の家具。
【請求項４】
前記トレー部材が、凹み部を有する第一の作業面と、面一な第二の作業面とを有し、この第一の作業面と第二の作業面とを互いに反転させて前記作業台本体に取付可能としていることを特徴とする請求項３記載の家具。
【請求項５】
前記作業台本体の上面に前記トレー部材と略同寸法の厚み寸法及び略同平面形状に凹ませたトレー部材取付部を形成し、このトレー部材取付部に前記トレー部材を取り付けた状態で、このトレー部材の上面と前記作業部材本体の上面とが面一となるように構成していることを特徴とする請求項３又は４記載の家具。
【請求項６】
前記作業台の反使用者側端部を支持する支持部材を設けたことを特徴とする請求項１乃至５記載の家具。
【請求項７】
前記脚収容空間の反使用者側を開放する開放部を設けていることを特徴とする請求項１乃至６記載の家具。
【請求項８】
前記寝台の側周囲側端部にクッション部材を設けることを特徴とする請求項１乃至７記載の家具。
【発明の詳細な説明】
【０００１】
【発明の属する技術分野】
本発明は、複数の機能を兼備した家具に関するものである。
【０００２】
【従来の技術】
従来、家庭やオフィスで用いられる机や椅子、ベッド、ソファ等、種々の家具が開発されている。（例えば、特許文献１参照）そして、これら家具は、基本的には、机であれば机としての機能を果たすべく作られており、その他に机と椅子とが一体に形成され複数の機能を兼備したものも知られている。
【０００３】
【特許文献１】
特開２００１−１９４１８２号公報（第３頁、段落番号００１２等）
【０００４】
【発明が解決しようとする課題】
しかしながら、使用者が机の上にパーソナルコンピュータなどを置いて作業している最中に疲れてしまい、例えば横になって休息を取りたい場合には、横になれるベッドなどに移動する必要がある。また、脚を伸ばして寛ぎたい場合などには、ソファに移動しなければならないなど、使用者の採りたい姿勢が変わる毎に、それぞれの機能を有する家具に逐次移動しなくてはならない。加えて、家庭やＳＯＨＯと称されるような小オフィスのように、スペース的にあまり余裕のない場所では、各機能毎に家具をそれぞれ揃えることは無理がある。
【０００５】
【課題を解決するための手段】
そこで、本発明は上記課題に着目してなされたものであり、使用者が横になる際に使用する寝台と、この寝台の一端部に脚を下ろして着座した状態で使用可能な作業台と、この作業台を使用する際に、使用者の脚を収容可能な脚収容空間とを具備することを特徴とする家具である。
【０００６】
このような構成とすることで、使用者が姿勢を変えるだけで、一の家具を種々の目的に用いることができ、例えば、仕事や休息や仮眠などの行為に最適な使用形態を容易に実現することが可能となる。また、それぞれの用途に応じた家具を用意しなくて済むので、家具を収容するスペースが節約でき、特に家庭やＳＯＨＯで用いるのに好ましい家具を提供することができる。
【０００７】
更に、前記作業台の寝台側端部に、弾性を有するクッション部材を設けることで、使用者が寝台の上に座り、前記作業台を背凭れとするような使用態様を採った場合にも、使用者との当接部分をクッション部材としているため使用感を向上させることができる。
【０００８】
また、使用者が、作業台以外の場所においても作業可能とするためには、前記作業台が、作業面を形成するトレー部材と、このトレー部材を着脱可能に取り付ける作業台本体とを具備することが望ましい。
【０００９】
加えて、前記トレー部材が、凹み部を有する第一の作業面と、面一な第二の作業面とを有し、この第一の作業面と第二の作業面とを互いに反転させて前記作業台本体に取付可能とすることで、例えば、食事をする場合には、凹み部を有する第一の作業面を使用できるように取り付けてコップ等が作業台から落下しないようにしたり、また、作業台の上で筆記作業をする場合には、面一な第二の作業面を使用できるように取り付けたりと、様々な用途に応じた作業面を提供することが可能となる。
【００１０】
更に、前記作業台本体の上面に前記トレー部材と略同寸法の厚み寸法及び略同平面形状に凹ませたトレー部材取付部を形成し、このトレー部材取付部に前記トレー部材を取り付けた状態で、このトレー部材の上面と前記作業部材本体の上面とが面一となるように構成することで、作業台の上面を面一な状態とすることができ、広い作業空間を確保することができる。
【００１１】
また、使用者が前記作業台を背凭れとして使用する場合に当該作業台にかかる負荷を受けるためには、前記作業台の反使用者側端部を支持する支持部材を設けることが望ましい。
【００１２】
加えて、使用者が広々と脚を収容できるためには、前記脚収容空間の反使用者側を開放する開放部を設けることが考えられる。
【００１３】
更に、前記寝台の側周囲側端部にクッション部材を設けることにより、例えば使用者が床面に着座し、この寝台を背凭れとして利用する際に好適な家具を提供することができる。
【００１４】
【発明の実施の形態】
以下、本発明の一実施の形態を、図面を参照して説明する。
【００１５】
図１は、本実施形態の家具Ａを示す斜視図であり、図２乃至図４は、当該家具Ａの使用例を表している。
【００１６】
本実施形態の家具Ａは、下面に脚部１２を取り付けたベース部材１の上に、使用者が横になる際に使用する寝台２と、この寝台２の前端部２Ａに脚を下ろして着座した状態で使用可能な作業台３を支持部材４を介して取り付けている。また、使用者が前記寝台２の前端部２Ａに脚を下ろして着座した際に、足を置く足置き台５を具備すると共に、使用者の脚を収容する脚収容空間Ｓを有している。
【００１７】
そして、図２乃至図４及び図７に示す使用態様、具体的には使用者が前記脚収容空間Ｓに脚を下ろした状態で寝台２に腰掛けて作業台３上で作業したり、この作業台３の一部を背凭れとして前記寝台２の上にソファのように座ったり、更には、寝台２上に横になったり、この寝台を背凭れとして利用し床面に着座するなど、様々な使用者の要求に応じた使用態様を実現することができるものである。
【００１８】
尚、当該家具Ａは、前記ベース部材１、作業台３、支持部材４、足置き台５を形成する構造体を木製の枠体にて形成し、補強芯材として枠体を形成するスチール製の角パイプを用いた状態で発泡ウレタンゴムにて後述する形状に成型したものである。そして、前記寝台２を形成するクッション部材と共に全体を布地張りすると共に、前記脚収容空間Ｓを形成する内側面にシート部材を貼り付けた板材を取り付けている。
【００１９】
以下、各構成について詳述する。
【００２０】
ベース部材１は、平面視長方形状を成すものであり、図５等に示すように、底壁と、この底壁から起立する左右前後周壁と、この左右周壁間を横架する横架部材とから成るベース本体１１と、このベース本体１１の下面に取り付けられる脚部１２とを具備している。
【００２１】
脚部１２は、下端部にアジャスタを取り付けたスチール製の角パイプで、左右対を成した状態で前記ベース部材本体１１の底壁に座金を介してビス止めされている。
【００２２】
寝台２は、図１に示すように、弾性を有する直方体のクッション部材を有するものである。そして、このクッション部材を用いて、寝台１の上面側端部のみならず、その側周囲側端部である左右側面側端部及び後面側端部をクッション部材にて構成している。換言すると、例えば図７に示すように、使用者が床面に着座し、この寝台１を背凭れとして利用する際に使用者と当接する面、具体的には、前記作業台側端面を除いた側周囲側端部をクッション部材にて形成している。
【００２３】
そして、図６に示すように、その平面視形状を直方形状、具体的には幅寸法を前記ベース部材１の幅寸法と略同一寸法とすると共に、平面視長手方向の寸法を使用者が横になれる程度の寸法とする形状としている。
【００２４】
作業台３は、図６に示すように、その幅寸法を前記寝台２の幅寸法をと略同寸に設定した平面視矩形形状を成すもので、主となる作業台本体３１と、この作業台本体３１に着脱可能に取り付けられるトレー部材３２と、この作業台３の寝台側端部３Ａに設けられた背凭れ部３３とから構成される。そして、図５、図６に示すように、前記寝台２の前方上方位置に後述する支持部材４を介して前記ベース部材１に固定されており、使用者が前記寝台２の前端部２Ａに脚を下ろして着座した状態で当該作業台３を使用可能とするものである。
【００２５】
作業台本体３１は、図８乃至図１０に示すように、その上面に後述するトレー部材３２を着脱可能に取り付けるトレー部材取付部３１１とこのトレー部材取付部３１１の周りに形成された周縁部３１２とを具備している。
【００２６】
トレー部材取付部３１１は、作業台本体３１の上面を前記トレー部材３２と略同寸法の厚み寸法及び略同平面形状に凹ませた有底の凹み部であり、トレー部材３２を取り付けた状態で、このトレー部材３２の上面と前記作業部材本体の周縁部３１２上面とが面一と成る形状を有している。
【００２７】
トレー部材３２は、積層合板にて構成される矩形平板形状のもので、その表裏面に表面形状の異なる第一の作業面３２１及び第二の作業面３２２を形成し、この両作業面を選択して表出させて前記作業台本体３１に取り付けられるようにしている。具体的には、図９又は図１０に示すように、この第一の作業面３２１と第二の作業面３２２とを互いに反転させて前記作業台本体３１のトレー部材取付部３１１に略緊密した状態で嵌めることができるものである。加えて、その左右端部に持ち手部３２３を形成し、トレー部材３２を作業台本体３１から着脱し易いようにしている。
【００２８】
第一の作業面３２１は、図９に示すように、上面側を開口する有底の凹み部３２１ａと、その凹み部３２１ａの周りに形成される周縁部３２１ｂとからなる。
【００２９】
凹み部３２１ａは、第一の作業面３２１の中央に平面視矩形状に設けられるもので、また周縁部３２１ｂは、第一の作業面３２１の周縁端に沿って設けられるものである。
【００３０】
第二の作業面３２２は、前記第一の作業面３２１と対向する面であり面一な作業面を形成している。
【００３１】
前記持ち手部３２３は、トレー部材３２の左右側端部中央位置に左右一対に設けられるもので、トレー部材３２を前記トレー部材取付部３１１に嵌め合わせた状態で使用者の指が入る程度に側端を切り欠いているものである。
【００３２】
背凭れ部３３は、図５、図６等に示すように、当該作業台３の寝台側端部３Ａに設けた弾性を有するクッション部材を具備している。このクッション部材は、作業台３の寝台側端部３Ａに当該作業台３の幅方向に沿った状態で設けられており、使用者が作業台３を背凭れとして利用した際に使用者と当接する面を覆っている。
【００３３】
この背凭れ部３３を自由端として片持ち的に作業台３を支持する支持部材４は、背凭れ部３３と対向する端部、つまり前記作業台３の反使用者側端部３Ｂを支持するものである。具体的には、前記ベース部材１の前端から鉛直方向に起立した起立壁であり、その上端を前記作業台３の反使用端側端部に連続させて、この作業台３を前記寝台２の上方前方位置で支持している。
【００３４】
足置き台５は、前記支持部材４の基端部から連続して形成されている水平な台であり、前記寝台２の前端に連続している。この足置き台５は、前記寝台２の幅寸法と略同寸法の幅寸法に設定されている。
【００３５】
また、この足置き台５の寝台側端部から連続して形成された起立壁は、前記寝台２のずれを防止するストッパー部材６としての役割を果たしている。
【００３６】
そして、前記作業台３の下方に形成される脚収容空間Ｓは、図２に示すように、この作業台３を使用する際に、使用者の脚を収容可能な空間である。具体的には、前記作業台３と支持部材４と足置き台５にて形成される側面視コの字形状部材の内方に形成されるもので、左右側方向に開口すると共に、図７に示すように、前記支持部材４に正面視ロの字形状に開口する開放部Ｓ１を設けて当該脚収容空間Ｓの反使用者側を開放している。更には、前記作業台３の下面と寝台２の前端上面と間に脚挿入口を形成し、この脚挿入口から使用者が脚を当該脚収容空間Ｓに収容した状態で前記作業台３を使用できるようにしている。
【００３７】
以上のように家具Ａを構成することで、使用者が姿勢を変えるだけで、一の家具Ａを種々の目的に用いることができ、例えば、仕事や休息や仮眠などの行為に最適な使用形態を容易に実現することが可能となる。また、それぞれの用途に応じた家具Ａを用意しなくて済むので、家具Ａを収容するスペースが節約でき、特に家庭やＳＯＨＯで用いるのに好ましい家具Ａを提供することができる。
【００３８】
更に、前記作業台３の寝台側端部３Ａに、弾性を有するクッション部材を設けているため、図３に示すように、使用者が寝台２の上に座り、前記作業台３を背凭れとするような使用態様を採った場合にも、使用者との当接部分をクッション部材としているため使用感を向上させることができる。
【００３９】
また、前記作業台３を、作業面を形成するトレー部材３２と、このトレー部材３２を着脱可能に取り付ける作業台本体３１にて構成しているため、使用者がこのトレー部材３２を持って移動することができ、作業台３以外の場所においても作業することが可能となる。
【００４０】
加えて、前記トレー部材３２が、凹み部３２１ａを有する第一の作業面３２１と、面一な第二の作業面３２２とを有し、この第一の作業面３２１と第二の作業面３２２とを互いに反転させて前記作業台本体３１に取付可能としていることで、例えば、食事をする場合には、凹み部３２１ａを有する第一の作業面３２１を使用できるように取り付けてコップ等が作業台３から落下しないようにしたり、また、作業台３の上で筆記作業をする場合には、面一な第二の作業面３２２を使用できるように取り付けたりと、様々な用途に応じた作業面を提供することが可能となる。
【００４１】
更に、前記作業台本体３１の上面に前記トレー部材３２と略同寸法の厚み寸法及び略同平面形状に凹ませたトレー部材取付部３１１を形成し、前記トレー部材３２の上面と前記作業部材本体の上面とを面一と成る構成しているため、作業台３の上面を面一な状態とすることができ、広い作業空間を確保することができる。
【００４２】
また、前記作業台３の反使用者側端部３Ｂを支持する支持部材４を設けることで、図３に示すように使用者が前記作業台３を背凭れとして使用する場合には、当該作業台３にかかる負荷を好適に受けられる。
【００４３】
加えて、前記脚収容空間Ｓの反使用者側を開放する開放部Ｓ１を設けているため、使用者が当該開放部Ｓ１から脚を突出させた状態で広々と脚を収容させることができる。
【００４４】
更に、前記寝台１の側周囲側端部にクッション部材を設けることにより、例えば使用者が床面に着座し、この寝台１を背凭れとして利用する際に好適な家具Ａを提供することができる。
【００４５】
なお、本発明における構成は、以上説明したものに限定されないのは勿論である。例えば、本実施の形態においては、寝台２の前縁側、つまり短手寸法を有する側に作業台３を設けたが、図１１乃至図１５に示すように、寝台２の側縁側、つまり長手寸法を有する側に作業台３を設けてもよい。その際には、前記トレー部材３２を複数枚用いて、作業台本体３１に嵌め合わせることも考えられる。尚、図１１乃至図１５には、本実施の形態と同一の機能を有する箇所に同じ符号を付している。また、前記支持部材４にて作業台３の側縁を支持する構成としても良い。加えて、寝台２の形状や作業台３の形状は、本実施の形態の形状に限られないのは勿論である。更に、本実施の形態においては、作業台３を支持部材４を介してベース部材１に固定しているが、作業台３の高さや位置を変更できるように構成しても良い。また、本実施の形態においては、側周囲側端部である左右側面側端部及び後面側端部をクッション部材にて構成しているが、前面側端部つまり、作業台側端部もクッション部材にて構成しても良いし、更には、側周囲を形成するいづれか一面側端部のみにクッション部材を設けてもよい。
【００４６】
その他の構成も本発明の趣旨を逸脱しない範囲で種々変形が可能である。
【００４７】
【発明の効果】
本発明は、以上説明したような構成とすることで、使用者が姿勢を変えるだけで、一の家具を種々の目的に用いることができ、例えば、仕事や休息や仮眠などの行為に最適な使用形態を容易に実現することが可能となる。また、それぞれの用途に応じた家具を用意しなくて済むので、家具を収容するスペースが節約でき、特に家庭やＳＯＨＯで用いるのに好ましい家具を提供することができる。
【図面の簡単な説明】
【図１】本実施の形態における家具の斜視図。
【図２】同実施形態における家具の使用例を示す側面図。
【図３】同実施形態における家具の使用例を示す側面図。
【図４】同実施形態における家具の使用例を示す側面図。
【図５】同実施形態における家具の側断面図。
【図６】同実施形態における家具の平面図。
【図７】同実施形態における家具の正面図。
【図８】同実施形態におけるトレー部材を外した状態を示す斜視図。
【図９】同実施形態におけるトレー部材の断面図。（第一の作業面を使用する場合）
【図１０】同実施形態におけるトレー部材の断面図。（第二の作業面を使用する場合）
【図１１】第二の実施形態における家具の斜視図。
【図１２】第二の実施形態における家具の平面図。
【図１３】第二の実施形態における家具の側面図。
【図１４】第二の実施形態における家具の背面図。
【図１５】第二の実施形態における家具の正面図。
【符号の説明】
Ａ・・・家具
Ｓ・・・脚収容空間
Ｓ１・・・開放部
２・・・寝台
２Ａ・・・一端部（前端部）
３・・・作業台
３Ａ・・・寝台側端部
３Ｂ・・・反使用者側端部
４・・・支持部材
３１・・・作業台本体
３２・・・トレー部材
３１１・・トレー部材取付部
３２１ａ・・・凹み部
３２１・・・第一の作業面
３２２・・・第二の作業面
【図１】
2004275232.tif 000003
【図２】
2004275232.tif 000004
【図３】
2004275232.tif 000005
【図４】
2004275232.tif 000006
【図５】
2004275232.tif 000007
【図６】
2004275232.tif 000008
【図７】
2004275232.tif 000009
【図８】
2004275232.tif 000010
【図９】
2004275232.tif 000011
【図１０】
2004275232.tif 000012
【図１１】
2004275232.tif 000013
【図１２】
2004275232.tif 000014
【図１３】
2004275232.tif 000015
【図１４】
2004275232.tif 000016
【図１５】
2004275232.tif 000017